(57)【要約】【課題】  受信者側が着呼に対し応答しない場合、又は留守番メッセージで応答する場合、予め設定しておいたメッセージをメールなどで発信することができる通信端末装置を提供する。【解決手段】この通信端末装置は、通信モードとして、音声による通信を行うための電話モードと文字によるメッセージを送信するメールモードとを有するものであって、通信先データを記憶する住所録１０と、発信メッセージメモリ１２１と、モード切換手段を含めた制御部５を備えている。住所録１０は、通信先の電話番号及びメールアドレスを関連づけて記憶する。発信メッセージメモリ１２１は、予め準備された複数の発信メッセージを記憶する。制御部５は、電話モードによる発信に対して所定時間以上応答がない場合、又は留守番応答の場合に、通信モードを通話モードからメールモードに切り換え、メッセージ記憶手段に記憶されている所定のメッセージを通信先のメールアドレスに送信する。【選択図】      図４
2005217873.tif 000002
【特許請求の範囲】
【請求項１】
通信モードとして、音声による通信を行うための電話モードと文字によるメッセージを送信するメールモードとを有する通信端末装置であって、
通信先の電話番号及びメールアドレスを関連づけて記憶する通信先データ記憶手段と、
予め準備された複数の発信メッセージを記憶するメッセージ記憶手段と、
前記通信モードを前記電話モードまたは前記メールモードに切り換えるモード切換手段と、
電話モードによる発信に対して所定時間以上応答がない場合、又は留守番応答の場合に、前記モード切換手段により通信モードを前記メールモードに切り換えて、前記メッセージ記憶手段に記憶されている所定のメッセージを前記通信先のメールアドレスに送信する制御手段と、
を備えた通信端末装置。
【請求項２】
前記モード切換手段は、手動操作によって通信モードを電話モード又はメールモードに切り換えるものである、
請求項１に記載の通信端末装置。
【請求項３】
前記メッセージ記憶手段は、前記通信先ごとに予め設定された特定の発信メッセージを記憶しており、
前記制御手段は、前記メッセージ記憶手段により記憶している発信メッセージの中から特定の発信メッセージを優先的に選択する、
請求項１または請求項２に記載の通信端末装置。
【請求項４】
前記モード切換手段は、電話モードによる発信に対して所定時間以上応答がない場合、通信モードを電話モードからメールモードに自動的に切り換えるものである、
請求項３に記載の通信端末装置。
【請求項５】
音声による通信が可能な通信端末装置であって、
予め準備された複数の音声メッセージを簡略音声に対応させて記憶するメッセージ記憶手段と、
通信モードを、通常の音声による通話を行う通常電話モードと、簡略音声を受けて対応する音声メッセージを送信する簡略音声モードとの間で切り換えるモード切換手段と、
通常電話モードによる発信に対して留守番応答の場合に、前記モード切換手段により通信モードを前記簡略音声モードに切り換えて、簡略音声に対応する前記メッセージ記憶手段に記憶されている所定の音声メッセージを送信する制御手段と、
を備えた通信端末装置。
【請求項６】
前記モード切換手段は、手動操作によって通信モードを通常電話モード又は簡略音声モードに切り換えるものである、
請求項５に記載の通信端末装置。
【発明の詳細な説明】
【技術分野】
【０００１】
本発明は、通信端末装置、特に、通信モードとして、音声による通信を行うための電話モードと文字によるメッセージを送信するメールモードとを有する携帯電話機などの通信端末装置に関する。
【背景技術】
【０００２】
携帯電話機は、無線通信によって、移動しながら通信が可能であるなど通信の自由度が高いため、普及が急速に進んでいる。さらに、携帯電話機による電子メールの送受信が可能であるなど携帯電話機のインターネット端末化も急速に進んでいる。
また、携帯電話機には留守番機能が備えられており、着呼に対応する応答が直ぐに行えない、あるいは応答したくない場所や場合において着呼があった場合等の通話不能の時に、受信者は発信者のメッセージを録音しておくことができる。これを利用することによって、発信者と受信者が通話する代わりに、発信者がメッセージを記憶装置に録音し、受信者が後程その録音されたメッセージを聞き出すことができる。
【特許文献１】特開平１０−２００６２６号公報    特開平１１−３２３８０号公報
【発明の開示】
【発明が解決しようとする課題】
【０００３】
携帯電話機の受信者が留守番メッセージで応答してきた場合、発信者側はその都度用件を音声録音しなければならない。しかし、発信者側にとっては、受信者と直接話をするつもりで電話をかけているので、急に音声録音をしようとしても、とっさに要領のよいメッセージを録音することは困難である。したがって、無言で電話を切る場合も多い。
【０００４】
また、受信者側も音声録音された用件を再生する必要があるが、会議中など音声を出すことが憚られる場合はすぐに用件を聞くことができない。したがって、留守番機能を有効に利用できていないのが現状である。
【０００５】
なお、携帯電話機の留守番機能では、録音時間カウント機能により時間制限が設けられているため、音声録音の場合の録音内容は、ほとんど「後で連絡ください」、「またかけ直します」、「いまどこですか」などの定型文面である。
【０００６】
本発明の目的は、留守番機能を有効に利用することができるようにすることにある。
【課題を解決するための手段】
【０００７】
請求項１に係る通信端末装置は、通信モードとして、音声による通信を行うための電話モードと文字によるメッセージを送信するメールモードとを有するものである。この通信端末装置は、通信先データ記憶手段と、メッセージ記憶手段と、モード切換手段と、制御手段とを備えている。通信先データ記憶手段は、通信先の電話番号及びメールアドレスを関連づけて記憶する。通信メッセージ記憶手段は、予め準備された複数の発信メッセージを記憶する。モード切換手段は、通信モードを電話モードまたはメールモードに切り換える。制御手段は、電話モードによる発信に対して所定時間以上応答がない場合、又は留守番応答の場合に、モード切換手段により通信モードをメールモードに切り換えて、メッセージ記憶手段に記憶されている所定のメッセージを通信先のメールアドレスに送信する。
【０００８】
この装置は、通信先に対して電話モードによる通信を行った際に、通信先が所定時間以上応答しない場合又は留守番応答の場合、モード切換手段により電話モードからメールモードに切り換えられる。そして、電話番号とメールアドレスを関連付ける通信先データ記憶手段により、通信先の電話番号からメールアドレスを選択し、メッセージ記憶手段に記憶されている所定のメッセージを通信先のメールアドレスに送信することができる。
【０００９】
したがって、発信者は、通信先の留守番応答などに対し、ほとんど定型文面である留守録メッセージを録音する手間を省くことができる。また、受信者も、会議中など電話応答ができないだけでなく、留守録メッセージを再生して聞くことができない場合でも、発信者からのメールによるメッセージを見て用件を知ることができる。
【００１０】
請求項２に係る通信端末装置は、請求項１の装置において、モード切換手段が、手動操作によって通信モードを電話モード又はメールモードに切り換えるものである。
【００１１】
この装置では、モード切換キーを押すなどの手動操作によって通信モードが切り換えられる。
【００１２】
請求項３に係る通信端末装置は、請求項１又は請求項２の装置において、メッセージ記憶手段が通信先ごとに予め設定された特定の発信メッセージを記憶している。また、電話モードによる発信に対して所定時間以上応答がない場合、又は留守番応答の場合に、モード切換手段により通信モードをメールモードに切り換えた際、制御手段は、メッセージ記憶手段に記憶されている発信メッセージの内、通信先ごとに予め記憶されている特定のメッセージを優先的に選択する。
【００１３】
ここで、頻繁に通信する相手先に対しては、通信の内容は、限られた同じ内容のものである場合が多い。そこで、この請求項３に係る発明では、メッセージ記憶手段に、特定の通信先ごとに予め設定された特定の発信メッセージを記憶させておき、メールモードの際にこの特定のメッセージを優先的に選択する。この場合は、メッセージの送信がより容易になる。
【００１４】
請求項４に係る通信端末装置は、請求項３の装置において、通信先が電話モードによる発信に対し所定時間以上応答しない場合に、通信モードを電話モードからメールモードに自動的に切り換えるものである。
【００１５】
請求項５に記載の通信端末装置は、音声による通信が可能な通信端末装置であって、メッセージ記憶手段と、モード切換手段と、制御手段とを備えている。メッセージ記憶手段は、予め準備された複数の音声メッセージを簡略音声に対応させて記憶する。モード切換手段は、通信モードを、通常の音声による通話を行う通常電話モードと、簡略音声を受けて対応する音声メッセージを送信する簡略音声モードとの間で切り換える。制御手段は、通常電話モードによる発信に対して留守番応答の場合に、モード切換手段により通信モードを簡略音声モードに切り換えて、簡略音声に対応するメッセージ記憶手段に記憶されている所定の音声メッセージを送信する。
【００１６】
この装置では、通信先に対して通常電話モードによる通信を行った際に、通信先が留守番応答の場合に、モード切換手段により通常電話モードから簡略音声モードに切り換えられる。そして、この簡略音声モードでは、発信者が簡略音声を発生する場、それに対応するメッセージ記憶手段に記憶されている所定の音声メッセージが送信される。
【００１７】
したがって、発信者は、通信先の留守番応答に対し、簡略音声で所定の音声メッセージを送信することができ、留守録メッセージを全文で録音する手間を省くことができる。
【００１８】
請求項６に係る通信端末装置は、請求項５の装置において、モード切換手段は、手動操作によって通信モードを通常電話モード又は簡略音声モードに切り換えるものである。
【００１９】
この装置では、モード切換キーを押すなどの手動操作によって通信モードが切り換えられる。
【発明の効果】
【００２０】
本発明の通信端末装置では、受信者側が着呼に対し応答しない場合、又は留守番メッセージで応答する場合、予め設定しておいたメッセージをメールなどで発信することができ、録音の手間を省くことができる。受信者にとっても、会議中など留守録メッセージを聞くことができない場合、発信者からのメールによるメッセージを見て用件を知ることができる。また、簡略音声によって所定の音声メッセージを送信することにより、発信者の手間が省ける。
【発明を実施するための最良の形態】
【００２１】
［第１実施形態］
本発明の一実施形態である通信端末装置を図１のブロック図に基づいて説明する。
【００２２】
通信端末装置１は、アンテナ２と、アンテナ共用部３と、受送信部４と、制御部５と、キー操作部６と、表示部７と、マイク８と、スピーカ９と、住所録１０と、発信メッセージ関連メモリ１２とを有している。
【００２３】
アンテナ２は、基地局への電波送信を行うもので、内蔵または伸縮式のものを用いている。
【００２４】
アンテナ共用部３は、アンテナ２への送受信を行うためにインピーダンスマッチング及び送受信を行うものである。
【００２５】
送受信部４は、アンテナ２及びアンテナ共用部３を介して受信した基地局からの信号をローカル発信周波数の信号に変換したのち復調し、この信号を制御部５に出力するとともに、制御部５から出力された信号を変調して無線周波数に変換して、アンテナ共用部３及びアンテナ２を介して基地局へ送信する。
【００２６】
制御部５は、通信端末装置１の各構成を制御しており、各構成部に接続されている。
キー操作部６は、数字キー、記号などのファンクションキーなどを有し、発着呼の操作、電話帳メモリへの登録操作、メール機能の操作を行うものである。このキー操作部６には、通信モードを電話モードからメールモードに切り換えるモード切換キーも含まれている。
【００２７】
表示部７は、液晶ディスプレイを用いており、制御部５の表示指示に応じて、内部のビットマップメモリ（図示していない）に展開された画像データや、入力した電話番号やテキストデータなどの表示を行う。
【００２８】
マイク８は、通話時において、発信者が発生した音声信号を電気信号へと変換する。
スピーカ９は、通話時において、着信元からの電気信号を音声信号へと変換する。
【００２９】
住所録１０は、通信先の複数の電話番号及びメールアドレスのデータが格納されているメモリである。また、電話番号とメールアドレスを関連付けるデータベースでもあって、通信先電話番号から通信先のメールアドレスを選択する機能を備える。
【００３０】
また、制御部５にはモード切換制御部が構成されている。このモード切換制御部は、受信者が発信者に対して所定時間以上応答しない場合又は留守番応答の場合、モード切換キーを押すことによって発信モードを電話モードからメールモードに切り換える。なお、このモード切換は自動で行うようにしてもよい。
【００３１】
発信メッセージ関連メモリ１２は、複数の発信メッセージメモリ１２１と、特定電話番号関連付けメモリ１２２とを有する。
【００３２】
発信メッセージメモリ１２１は、複数の定型の発信メッセージを記憶するためのメモリであり、図２に示すように、キー操作部６の数字キーに対応させてそれぞれ所定の定型メッセージを記憶している。例えば、「１．後で至急連絡ください。」、「２．またかけ直します。」、「３．いまどこですか？」等である。ここでは、所定の数字キーを操作することによって、対応する定型発信メッセージを選択することができる。
【００３３】
特定電話番号関連付けメモリ１２２は、図３に示すように、ユーザが指定した特定電話番号と、その電話番号に対応するメールアドレス及び定型発信メッセージをセットで登録している。例えば、電話番号Ａに対応するメールアドレスＡに所定のテキストメッセージＡ（ただ今出発しました。）をメモリＡに格納し、電話番号Ｂに対応するメールアドレスＢに所定のテキストメッセージＢ（いつもの電車で帰ります。）をメモリＢに格納する。
【００３４】
次に動作について説明する。
図４は、本発明の一実施形態である通信端末装置の通信時における動作例を示すフローチャートである。
【００３５】
ステップ１でユーザがキー操作部６からの操作により電話番号を入力して通信を開始すると、ステップ２で呼び出しが行われる。ステップ３では呼び出しに対して応答があるか否かを判断する。応答がある場合は、ステップ４に移行し、通常の通話が行われる。留守番応答の場合又は所定時間（例えば６回の呼び出しコール）経過後も対応なしの場合は、ステップ５へ移行する。ステップ５では、モード切換手段により（例えば手動で）通信モードを電話モードからメールモードへ切り換え、ステップ６へ移行する。
【００３６】
ステップ６では、通信先が特定の電話番号ＡまたはＢかを判断する。通信先が特定の電話番号ＡまたはＢである場合は、ステップ７へ移行する。ステップ７では、電話番号Ａに対応する所定のメッセージA（ただ今出発しました）が表示部に表示される。ステップ８では、このメッセージＡで送信するか否かを判断する。電話番号Ａの通信先にメッセージＡを送信する場合は、ステップ１２に移行する。通信先電話番号ＡにメッセージＡ以外のメッセージを送信する場合はステップ９に移行する。
【００３７】
一方、通信先が特定の電話番号ＡまたはＢでない場合は、ステップ６からステップ９に移行する。ステップ９では、複数の定型メッセージ「１．後で至急連絡ください。」、「２．またかけ直します。」、「３．いまどこですか？」等が表示部に表示される。ステップ１０では、発信者によりメッセージに対応する数字キーが押されたか否かを判断する。ステップ１１では発信者によって押された数字キーに対応するメッセージを選択する。例えば、発信者がキー操作部の数字「３」を押した場合、「いまどこですか？」のメッセージを選択する。ステップ１２では送信キーを押してメッセージを送信し、通信を終了する。
【００３８】
本実施形態の効果として、受信者側が着呼に対し応答しない場合又は留守番メッセージで応答する場合、発信者はその都度ほとんど定型の文面を留守禄メッセージに録音することなく、モード切換キーを押すことにより、通信モードを電話モードからメールモードに切り換え、予め設定しておいた定型テキストメッセージをメールで発信することができる。このため、発信者は録音の手間を省くことができる。また、通常同じ内容の留守録メッセージを送信する特定の電話番号に対しては、特定の電話番号に対応して記憶されている所定のメッセージを優先的に選択することとなっているため、発信者にとって便利である。
【００３９】
これにより、受信者も会議中など電話に出られない場合、または留守録メッセージを聞くことができない場合でも、発信者からのメールによるメッセージを見て用件を知ることができる。
【００４０】
［第２実施形態］
第２実施形態の通信端末装置の構成と第１実施形態の通信端末装置の構成は発信メッセージ関連メモリを除いて同じである。
【００４１】
この第２実施形態における発信メッセージ関連メモリ１２ａには、図５に示すように、複数の発信メッセージが音声メッセージとして格納されている。この発信メッセージは、予めユーザによって登録されたものであり、各メッセージに対応して簡略音声が設定されている。
【００４２】
例えば、「あと」という簡略音声に対応して「後で至急連絡ください。」の音声メッセージが記憶され、「また」という簡略音声に対応して「またかけ直します。」のメッセージが記憶され、「どこ」という簡略音声に対応して「いまどこですか？」のメッセージが記憶されている。
【００４３】
つぎに動作について説明する。
図６は、第２実施形態である通信端末装置のフローチャートである。
【００４４】
ステップ２１でユーザがキー操作部６からの操作により電話番号を入力して通信を開始すると、ステップ２２で呼び出しが行われる。ステップ２３では呼び出しに対して応答があるか否かを判断し、応答がある場合は、ステップ２４に移行して、通常の通話が行われる。留守番応答の場合は、ステップ２５へ移行する。ステップ２５では、モード切換手段により（例えば手動で）、通信モードを通常電話モードから簡略音声モードへ切り換え、ステップ２６へ移行する。ステップ２６では、複数の音声メッセージが表示部に表示される。ステップ２７では簡略音声が発声されたか否かを判断する。ステップ２８では、簡略音声に対応する定型メッセージを選択する。例えば「また」という簡略音声が発声された場合、定型音声メッセージ「またかけ直します。」を選択する。ステップ２９では、定型音声メッセージを送信し、通信を終了する。
【００４５】
本実施形態の効果として、受信者側が着呼に対し留守番メッセージで応答する場合、発信者はその都度ほとんど定型の文面を留守禄メッセージに録音することなく、予め設定しておいた定型音声メッセージを簡略音声で発信することができ、録音の手間を省くことができる。特に、受信者側のメールアドレスが登録されていない場合など、メールによるメッセージの送信が不可能な場合に便利である。
【００４６】
［他の実施形態］
第１実施形態では、受信者側が着呼に対し応答しない場合又は留守番メッセージで応答する場合、モード切換キーを押すことにより、通信モードを電話モードからメールモードに切り換えて、予め設定しておいた定型テキストメッセージをメールで発信するようになっている。また、第２実施形態では、受信者側が着呼に対し留守番メッセージで応答する場合、通信モードを通常電話モードから簡略音声モードに切り換えて、予め設定しておいた定型音声メッセージを簡略音声で発信するようになっている。したがって、これらの各実施形態の両方を組み合わせた構成としてもよい。すなわち、受信者側が着呼に対し留守番メッセージで応答する場合、モード切換キーを押すことにより、通常電話モードからメールモードあるいは簡略音声モードのいずれかを選択して、例えばメールモードを選択した場合は、第１実施形態の動作を実行するが、通信先のメールアドレスが登録されていない場合は、簡略音声モードに切り換えて、第２実施形態の動作を実行するようにすることができる。
【図面の簡単な説明】
【００４７】
【図１】本発明の実施形態である通信端末装置の概略構成を示すブロック図である。
【図２】発信メッセージメモリの一例を示す図である。
【図３】特定電話番号関連付けメモリの一例を示す図である。
【図４】第１実施形態のフローチャートである。
【図５】第２実施形態による発信メッセージ関連メモリの一例を示す図である。
【図６】第２実施形態のフローチャートである。
【符号の説明】
【００４８】
１  通信端末装置 
５  制御部
６  キー操作部
１０  住所録メモリ
１２  発信メッセージ関連メモリ
１２１  発信メッセージメモリ
１２ａ  音声メモリ
１２２  特定電話番号関連付けメモリ
【図１】
2005217873.tif 000003
【図２】
2005217873.tif 000004
【図３】
2005217873.tif 000005
【図４】
2005217873.tif 000006
【図５】
2005217873.tif 000007
【図６】
2005217873.tif 000008